(57)【要約】【課題】機械式アナログ時計を容易に携帯型情報機器に組み込むことが可能で、ユーザの視認性などの使い勝手を向上し、デザイン的にも好ましい組込時計モジュールおよび組込時計モジュールを組み込んだ携帯型情報機器を提供する。【解決手段】各種情報を表示するための表示部を有する携帯情報機器１０に、当該携帯情報機器１０の外面から視認可能な状態で組み込まれる組込時計モジュール１４であって、表示部を保持する受け部材に所定の向きで係合され、保持される筐体と、前記筐体から一部が突設された状態で筐体内に収納された時計ユニットと、を備える。【選択図】      図１
2004205378.tif 000002
【特許請求の範囲】
【請求項１】
各種情報を表示するための表示部を有する携帯情報機器に、当該携帯情報機器の外面から視認可能な状態で組み込まれる組込時計モジュールであって、
前記表示部を保持する受け部材に所定の向きで係合され、保持される筐体と、前記筐体外からその一部が視認可能な状態で前記筐体内に収納された時計ユニットと、
を備えたことを特徴とする組込時計モジュール。
【請求項２】
請求項１記載の組込時計モジュールにおいて、
前記筐体は、前記時計ユニットの一部を視認可能に保護する透明部と、
前記透明部を保持する縁部と、
前記縁部と共働して、前記時計ユニットを収納する胴部と、
を備えたことを特徴とする組込時計モジュール。
【請求項３】
請求項２記載の組込時計モジュールにおいて、
前記胴部と前記時計ユニットとの間に背面側耐磁板を設けたことを特徴とする組込時計モジュール。
【請求項４】
請求項２または請求項３記載の組込時計モジュールにおいて、
前記時計ユニットは、指針と、
文字板と、
前記指針を駆動するムーブメントと、
を備えたことを特徴とする組込時計モジュール。
【請求項５】
請求項４記載の組込時計モジュールにおいて、
前記文字板には、前面側耐磁板が設けられていることを特徴とする組込時計モジュール。
【請求項６】
請求項２記載の組込時計モジュールにおいて、
前記胴部は、その平面形状が多角形状を有していることを特徴とする組込時計モジュール。
【請求項７】
請求項２記載の組込時計モジュールにおいて、
前記胴部は、その平面形状が円形状を有するとともに、前記受け部材と係合して、回転を防止するための回転防止部を備えたことを特徴とする組込時計モジュール。
【請求項８】
請求項２記載の組込時計モジュールにおいて、
前記胴部は、その平面形状が円形状を有するとともに、前記受け部材と係合して、回転を防止するための回転防止部を備え、
前記時計ユニットは、アナログ指針、文字板及び前記アナログ指針を駆動するムーブメントを備えた、
ことを特徴とする組込時計モジュール。
【請求項９】
請求項８記載の組込時計モジュールにおいて、
前記胴部は、その内面に前記ムーブメントに形成された第１回転防止係合部と係合して当該ムーブメントの回転を防止する第２回転防止係合部を備えていることを特徴とする組込時計モジュール。
【請求項１０】
請求項１ないし請求項９のいずれかに記載の組込時計モジュールにおいて、
前記胴部は、前記受け部材を介して間接的にあるいは直接的に前記携帯情報機器の制御部との間で電気的接続を確保するための端子部を備えていることを特徴とする組込時計モジュール。
【請求項１１】
請求項１０記載の組込時計モジュールにおいて、
前記端子部は、前記ムーブメントに電源を供給するための電源端子を含むことを特徴とする組込時計モジュール。
【請求項１２】
請求項１０または請求項１１記載の組込時計モジュールにおいて、
前記端子部は、前記ムーブメントに駆動信号を供給するための駆動端子を含むことを特徴とする組込時計モジュール。
【請求項１３】
請求項１０ないし請求項１２のいずれかに記載の組込時計モジュールにおいて、
前記端子部は、前記ムーブメントに各種制御信号を供給するための制御端子を含むことを特徴とする組込時計モジュール。
【請求項１４】
情報機器筐体と、
各種情報を表示するための表示部と、
前記表示部を保持する受け部材と、
アナログ指針を有するとともに、前記受け部材に所定の向きで係合され、前記情報機器筐体の外面から視認可能な状態で組み込まれる組込時計モジュールと、
を備えたことを特徴とする携帯型情報機器。
【発明の詳細な説明】
【０００１】
【発明の属する技術分野】
本発明は組込時計モジュールおよび携帯型情報機器に係り、特に携帯電話端末装置、ＰＤＡ（Personal Digital Assistance）等の小型の携帯情報機器および当該携帯情報機器に組み込まれる組込時計モジュールに関する。
【従来の技術】
近年、ＰＤＡ等の小型携帯情報機器が普及してきている。
このような小型携帯情報機器は、技術の進歩とともに、様々な機能を備えるものが提案されている。
例えば、携帯電話端末においては、その液晶ディスプレイに表示された時刻表示を時計として用いるユーザも増加している。
【０００２】
【発明が解決しようとする課題】
しかしながら、液晶ディスプレイに表示された時刻表示は、視野角の観点や、解像度などの観点からあまり見やすいものとはいえないという不具合があった。また、情報表示用の液晶ディスプレイを時計として兼用させているため、デザイン的にも画一的であるという問題点があった。
そこで、本発明の目的は、機械式アナログ時計を容易に携帯型情報機器に組み込むことが可能で、ユーザの視認性などの使い勝手を向上し、デザイン的にも好ましい組込時計モジュールおよび組込時計モジュールを組み込んだ携帯型情報機器を提供することにある。
【０００３】
【課題を解決するための手段】
上記課題を解決するため、各種情報を表示するための表示部を有する携帯情報機器に、当該携帯情報機器の外面から視認可能な状態で組み込まれる組込時計モジュールは、前記表示部を保持する受け部材に所定の向きで係合され、保持される筐体と、前記筐体外からその一部が視認可能な状態で前記筐体内に収納された時計ユニットと、を備えたことを特徴とする。
この場合において、前記筐体は、前記時計ユニットの一部を視認可能に保護する透明部と、前記透明部を保持する縁部と、前記縁部と共働して、前記時計ユニットを収納する胴部と、を備えるようにしてもよい。
また、前記胴部と前記時計ユニットとの間に背面側耐磁板を設けるようにしてもよい。
さらに、前記時計ユニットは、指針と、文字板と、前記指針を駆動するムーブメントと、を備えるようにしてもよい。
さらにまた、前記文字板には、前面側耐磁板が設けられているようにしてもよい。
【０００４】
また、前記胴部は、その平面形状が多角形状を有しているようにしてもよい。さらに、前記胴部は、その平面形状が円形状を有するとともに、前記受け部材と係合して、回転を防止するための回転防止部を備えるようにしてもよい。
さらにまた、前記胴部は、その平面形状が円形状を有するとともに、前記受け部材と係合して、回転を防止するための回転防止部を備え、前記時計ユニットは、アナログ指針、文字板及び前記アナログ指針を駆動するムーブメントを備えるようにしてもよい。
また、前記胴部は、その内面に前記ムーブメントに形成された第１回転防止係合部と係合して当該ムーブメントの回転を防止する第２回転防止係合部を備えているようにしてもよい。
【０００５】
さらに、前記胴部は、前記受け部材を介して間接的にあるいは直接的に前記携帯情報機器の制御部との間で電気的接続を確保するための端子部を備えているようにしてもよい。
さらにまた、前記端子部は、前記ムーブメントに電源を供給するための電源端子を含むようにしてもよい。
また、前記端子部は、前記ムーブメントに駆動信号を供給するための駆動端子を含むようにしてもよい。
さらに、前記端子部は、前記ムーブメントに各種制御信号を供給するための制御端子を含むようにしてもよい。
【０００６】
また、携帯型情報機器は、情報機器筐体と、各種情報を表示するための表示部と、前記表示部を保持する受け部材と、アナログ指針を有するとともに、前記受け部材に所定の向きで係合され、前記情報機器筐体の外面から視認可能な状態で組み込まれる組込時計モジュールと、を備えたことを特徴としている。
【０００７】
【発明の実施の形態】
次に本発明の好適な実施の形態について図面を参照して詳細に説明する。
［１］実施形態の構成
図１は、実施形態の携帯電話端末の折り畳み状態における斜視図である。また、図２は、携帯電話端末の使用状態における斜視図である。
携帯電話端末１０は、大別すると、表示部側本体１１と、操作部側本体１２と、ヒンジ部１３と、組込時計モジュール１４と、外部アンテナ１５と、を備えている。
表示部側本体１１には、折り畳み状態において外側となる面に組込時計モジュール１４がその一部が突出するように組み込まれている。また、図２に示すように、表示部側本体１１の折り畳み状態において内側となる面には、液晶ディスプレイ、有機ＥＬなどの表示部２１と、スピーカ２２とが配置されている。さらに表示部側本体１１の内部には、外部アンテナ１５が引き出し可能に収納されている。
操作部側本体１２には、ヒンジ部１３を介して表示部側本体１１が回動可能に設けられている。また、図２に示すように、操作部側本体１２には、各種操作を行うための複数の操作ボタンにより構成された操作部２３と、マイク２４とが設けられている。
【０００８】
組込時計モジュール１４は、アナログ指針により機械的に時刻表示を行う。また、カレンダー機構を内蔵させることによりカレンダー表示を行うように構成することも可能である。
図３は、携帯電話端末１０における表示部側本体１１の分解斜視図である。
表示部側本体１１は、表示部２１を保護するための透明の保護カバー１１Ａが設けられた上ケース１１Ｂと、組込時計モジュール１４の一部を突出させるための開口部１１Ｃを有する下ケース１１Ｄと、表示・時計モジュール部２５と、を備えている。
表示・時計モジュール部２５は、大別すると、組込表示モジュール３１と、組込表示モジュール３１の背面に係合された組込時計モジュール１４と、を備えて構成されている。
【０００９】
ここで組込時計モジュール１４について詳細に説明する。
図４は組込時計モジュール１４の外観斜視図である。また、図５は組込時計モジュール１４の断面図である。
組込時計モジュール１４は、大別すると、時計の指針および文字板を保護するための円形状を有するガラス部３５と、ムーブメントなどをガラス部３５側から覆う縁部３６と、ムーブメントなどを支持するとともに、ガラス部３５の裏面側から覆う胴部３７と、を備えている。
ここで、胴部３７の周縁部には、縁部３６の係合突起３６Ａと係合し、縁部３６を固定するとともに、組込表示モジュール３１の背面に設けられた図示しない係合突起と係合し、組込時計モジュール１４の位置ずれを防止するための係合受け部３８が設けられている。
【００１０】
組込時計モジュール１４は、ガラス部３５が縁部３６に支持されており、ガラス部３５側から胴部３７側に向かって、アナログ指針４１、文字板４２、ムーブメント４３、中枠部４４および耐磁板４５を備えている。
アナログ指針４１は、図５においては、時針および分針として構成されている。
文字板４２は、アナログ指針４１の裏面側に配置されており、アナログ指針４１が指し示す時間を表す。また、文字板４２の裏面には耐磁板４２Ａが設けられており、ガラス部側の磁界の影響を低減し、ムーブメント４３の誤動作を防止する。
ムーブメント４３は、外部より供給された電源により、パルスモータなどの駆動モータを駆動し、その駆動力を輪列を介してアナログ指針４１に伝達することにより計時動作を行う。
中枠部４４は、ムーブメント４３を所定位置に所定の向きで保持すべく支持する。
耐磁板４５は、組込表示モジュール３１側の磁界の影響を低減し、ムーブメント４３の誤動作を防止する。
【００１１】
ここで、組込時計モジュール１４と携帯電話端末１０の制御回路との間の電気的な接続の態様について説明する。
図６は、組込時計モジュール１４と携帯電話端末１０の制御回路１０Ｃとの間の電気的な接続の第１態様の説明図である。
図６に示すように、組込時計モジュール１４は、機能的に見ると、各種計時制御を行うべく制御信号ＳＣを生成し出力する計時制御ユニットＣＵ、制御信号ＳＣに基づいて駆動信号ＳＤを生成し出力するドライブユニットＤＵおよび駆動信号ＳＤに基づいて、モータを駆動し、実際の運針を行うムーブメントユニットＭＵに大別される。
そして、本第１態様では、携帯電話端末１０の制御回路１０Ｃから組込時計モジュールに設けられた一対の電源端子ＴＰ１、ＴＰ２を介して駆動用電源ＰＷが計時制御ユニットＣＵおよびドライブユニットＤＵに供給される。
これにより、計時制御ユニットＣＵは、制御信号ＳＣを生成しドライブユニットＤＵに出力する。ドライブユニットＤＵは、制御信号ＳＣに基づいて駆動信号ＳＤを生成しムーブメントユニットＭＵに出力する。
ムーブメントユニットＭＵは、駆動信号ＳＤに基づいて、モータを駆動し、アナログ指針４１の実際の運針を行う。
【００１２】
図７は、組込時計モジュール１４と携帯電話端末１０の制御回路１０Ｃとの間の電気的な接続の第２態様の説明図である。
本第２態様では、組込時計モジュール１４は、ドライブユニットＤＵおよびムーブメントユニットＭＵのみを備えており、計時制御ユニットＣＵは携帯電話端末１０の制御回路１０Ｃが備えている。
そして、本第２態様では、携帯電話端末１０の制御回路１０Ｃから組込時計モジュールに設けられた一対の電源端子ＴＰ１、ＴＰ２を介して駆動用電源ＰＷがドライブユニットＤＵに供給されるとともに、制御回路１０Ｃの計時制御ユニットＣＵが制御信号ＳＣを生成し制御端子ＴＣを介してドライブユニットＤＵに出力する。
ドライブユニットＤＵは、制御信号ＳＣに基づいて駆動信号ＳＤを生成しムーブメントユニットＭＵに出力する。
ムーブメントユニットＭＵは、駆動信号ＳＤに基づいて、モータを駆動し、アナログ指針４１の実際の運針を行う。
【００１３】
図８は、組込時計モジュール１４と携帯電話端末１０の制御回路１０Ｃとの間の電気的な接続の第３態様の説明図である。
本第３態様では、組込時計モジュール１４は、ムーブメントユニットＭＵのみを備えており、ドライブユニットＤＵ及び計時制御ユニットＣＵは携帯電話端末１０の制御回路１０Ｃが備えている。
そして、本第２態様では、携帯電話端末１０の制御回路１０Ｃの計時制御ユニットＣＵが制御信号ＳＣを生成し、ドライブユニットＤＵに出力する。ドライブユニットＤＵは、制御信号ＳＣに基づいて駆動信号ＳＤを生成しドライブ端子ＴＤを介してムーブメントユニットＭＵに出力する。
組込時計モジュール１４のムーブメントユニットＭＵは、駆動信号ＳＤに基づいて、モータを駆動し、アナログ指針４１の実際の運針を行う。
なお、以上の組込時計モジュール１４と携帯電話端末１０の制御回路との間の電気的な接続の態様においては、組込時計モジュール１４と携帯電話端末１０の制御回路１０Ｃとを直接接続する構成を採っていたが、組込表示モジュール３１を介して両者を接続するように構成したり、組込表示モジュール３１側に携帯電話端末１０の制御回路１０Ｃの機能の一部を持たせるように構成することも可能である。
【００１４】
［２］実施形態の効果
以上の説明のように、本第１実施形態によれば、組込時計モジュールは、あらかじめ文字板、指針、ガラス部、縁部および胴部などを組み合わせた状態としているので、携帯型情報機器への組込が容易となる。
【００１５】
［３］実施形態の変形例
［３．１］第１変形例
以上の説明においては、矩形形状の縁部３６および胴部３７に対し、円形形状のガラス部３５を有する組込時計モジュールを例として説明したが、上記実施形態と同様の形状を有する縁部および胴部に対し図９に示すように、矩形形状のガラス部３５Ａを構成したり、楕円形状、星形状、多角形状など様々なデザインを適用することが可能である。
【００１６】
図１０は縁部および胴部を円形形状とした場合の、組込時計モジュールの斜視図である。また、図１１は縁部および胴部を円形形状とした場合の、組込時計モジュールの平面図である。
図１０および図１１に示すように、縁部３６Ａおよび胴部３７Ａを円形形状とし、ムーブメント４３に第１回転防止用突起４３Ａ（第１回転防止係合部）を設けて胴部３７Ａに設けた凹部（第２回転防止係合部）に組み込むととともに、胴部３７Ａの外周部に携帯型情報機器への組込時の回転を防止するための第２回転防止用突起５０（回転防止部）を設けるようにすることも可能である。
このような構成とすれば、縁部および胴部を円形形状としても、第１回転防止用突起４３Ａおよび第２回転防止用突起の位置を合わせて組込を行うだけで、所定の方向を正時方向として携帯型情報機器に組み込むことができる。
また、逆に胴部３７Ａに回転防止用突起を設けムーブメント４３に凹部を設けて組み込むようにすることも可能である。また、ムーブメント４３を中枠を用いて回転を防止するように構成することも可能である。
【００１７】
［３．２］第２変形例
以上の説明においては、組込時計モジュール１４の指針が表示部２１とほぼ並行になるように配置していたが、本第２変形例は、携帯電話端末を折り畳み状態で机上に載置した場合等に時刻の視認性を向上させるための変形例である。
図１２は、第２変形例の携帯電話端末の折り畳み状態における斜視図である。また、図１３は、第２変形例の携帯電話端末を時計として机上に載置した場合の使用状態における側面図である。
携帯電話端末１０Ａは、大別すると、表示部側本体１１と、操作部側本体１２と、ヒンジ部１３と、組込時計モジュール１４Ａと、外部アンテナ１５と、を備えており、表示部側本体１１には、折り畳み状態において外側となる面に組込時計モジュール１４Ａがその一部が突出し、かつ、図１２中１２時方向側を高くし、６時方向側を低くするように配置され、組み込まれている。
このような構成とすることにより、机上などに載置した場合に、組込時計モジュール１４Ａは、表示部２１（図２参照）と並行に配置された場合と比較して、その時刻表示面がユーザ側を向くこととなり、ユーザにとって時刻の視認性が向上することとなる。
［３．３］第３変形例
以上の説明においては、折り畳み形状を有する携帯電話端末を例として説明したが、いわゆるストレート型の携帯電話端末など、様々な形状を有する携帯型情報機器に適用することが可能である。
【００１８】
【発明の効果】
本発明によれば、機械式アナログ時計としての組込時計モジュールを容易に携帯型情報機器に組み込むことが可能となる。これにより、ユーザの視認性などの使い勝手を向上しつつ、デザイン的にも好ましい携帯型情報機器を提供することが可能となる。
【図面の簡単な説明】
【図１】実施形態の携帯電話端末の折り畳み状態における斜視図である。
【図２】携帯電話端末の使用状態における斜視図である。
【図３】携帯電話端末における表示部側本体の分解斜視図である。
【図４】組込時計モジュールの外観斜視図である。
【図５】組込時計モジュールの断面図である。
【図６】組込時計モジュールと携帯電話端末の制御回路との間の電気的な接続の第１態様の説明図である。
【図７】組込時計モジュールと携帯電話端末の制御回路との間の電気的な接続の第２態様の説明図である。
【図８】組込時計モジュールと携帯電話端末の制御回路との間の電気的な接続の第３態様の説明図である。
【図９】矩形形状のガラス部を構成した場合の組込時計モジュールの斜視図である。
【図１０】縁部および胴部を円形形状とした場合の、組込時計モジュールの斜視図である。
【図１１】縁部および胴部を円形形状とした場合の、組込時計モジュールの平面図である。
【図１２】第２変形例の携帯電話端末の折り畳み状態における斜視図である。
【図１３】第２変形例の携帯電話端末を時計として机上に載置した場合の使用状態における側面図である。
【符号の説明】
１０…携帯電話端末
１１…表示部側本体
１１Ａ…保護カバー
１１Ｂ…上ケース
１１Ｃ…開口部
１１Ｄ…下ケース
１２…操作部側本体
１３…ヒンジ部
１４…組込時計モジュール
１５…外部アンテナ１５
２１…表示部
２２…スピーカ
２３…操作部
２４…マイク
２５…表示・時計モジュール部
３５，３５Ａ…ガラス部（時計ユニット）
３６，３６Ａ…縁部（筐体）
３７，３７Ａ…胴部（筐体）
３８…係合受け部
４１…アナログ指針（時計ユニット）
４２…文字板（時計ユニット）
４３…ムーブメント（時計ユニット）
４４…中枠部（時計ユニット）
４５…耐磁板（時計ユニット、背面側耐磁板）
【図１】
2004205378.tif 000003
【図２】
2004205378.tif 000004
【図３】
2004205378.tif 000005
【図４】
2004205378.tif 000006
【図５】
2004205378.tif 000007
【図６】
2004205378.tif 000008
【図７】
2004205378.tif 000009
【図８】
2004205378.tif 000010
【図９】
2004205378.tif 000011
【図１０】
2004205378.tif 000012
【図１１】
2004205378.tif 000013
【図１２】
2004205378.tif 000014
【図１３】
2004205378.tif 000015